(57)【要約】【課題】  被制御装置を遠隔操作するリモコンコードをリモコン装置の操作キーに対応させてリモコン装置の不揮発性メモリに記憶し、複数モデルの被制御装置を遠隔操作するリモコン装置を共通化することができるようにする。【解決手段】  操作キー番号とそのリモコンコードとを被制御装置からリモコン装置に送信して、リモコン装置から送信されたリモコンコードを受信し、リモコン装置に送信したリモコンコードとリモコン装置から受信したリモコンコードとをベリファイして、ベリファイの結果が一致した場合、次の操作キー番号とそのリモコンコードとを被制御装置からリモコン装置に送信し、ベリファイの結果が一致しない場合、同じ操作キー番号とそのリモコンコードとを被制御装置からリモコン装置に再送信し、全リモコンコードを被制御装置からリモコン装置に送信するようにする。【選択図】        図１
0003120758.tif 000002
【実用新案登録請求の範囲】
【請求項１】
リモコン装置により被制御装置を遠隔操作する遠隔操作システムであって、
リモコン装置に、操作キー番号が予め割り当てられた複数の操作キーと、被制御装置を遠隔操作するリモコンコードの送信要求信号を送信するリモコンコード送信要求手段と、リモコンコード受信中を表示する赤色ＬＥＤと、操作キー番号とそのリモコンコードとを受信する第１の受信手段と、前記第１の受信手段が受信したリモコンコードを送信する第１の送信手段と、前記第１の受信手段が受信したリモコンコードを受信した操作キー番号に対応したアドレスに記憶する第１の記憶手段と、リモコンコード受信完了を表示する緑色ＬＥＤとを設け、
被制御装置に、複数の操作キー番号とそのリモコンコードとを記憶する第２の記憶手段と、前記第２の記憶手段に記憶されている操作キー番号とそのリモコンコードとを送信する第２の送信手段と、前記リモコン装置から送信されたリモコンコードを受信する第２の受信手段と、前記第２の送信手段が送信したリモコンコードと前記第２の受信手段が受信したリモコンコードとをベリファイするベリファイ手段と、リモコンコード送信終了を画面に表示する表示手段とを設け、
前記被制御装置は、前記リモコン装置から送信されたリモコンコード送信要求信号を受信したとき、前記第２の記憶手段に記憶されている操作キー番号とそのリモコンコードとを前記リモコン装置に送信して、前記リモコン装置から送信されたリモコンコードを受信し、送信したリモコンコードと受信したリモコンコードとをベリファイして、ベリファイの結果が一致した場合、前記第２の記憶手段に記憶されている次の操作キー番号とそのリモコンコードとを前記リモコン装置に送信し、ベリファイの結果が一致しない場合、前記第２の記憶手段に記憶されている同じ操作キー番号とそのリモコンコードとを前記リモコン装置に再送信し、前記第２の記憶手段に記憶されている操作キー番号とそのリモコンコードとの送信と、送信したリモコンコードと受信したリモコンコードとのベリファイとを繰り返して、前記第２の記憶手段に記憶されている全リモコンコードを前記リモコン装置に送信し、前記第２の記憶手段に記憶されている全リモコンコードの送信が終了したとき、前記リモコン装置にリモコンコード送信終了信号を送信してリモコンコード送信終了を画面に表示し、
前記リモコン装置は、リモコンコード送信要求信号を前記被制御装置に送信して、前記赤色ＬＥＤを点滅させてリモコンコード受信中を表示し、前記被制御装置から送信された操作キー番号とそのリモコンコードとを受信して、受信したリモコンコードを前記被制御装置に送信し、受信したリモコンコードを受信した操作キー番号に対応した前記第１の記憶手段のアドレスに記憶して、前記被制御装置から送信されたリモコンコード送信終了信号を受信したとき、前記緑色ＬＥＤを所定時間点灯させてリモコンコード受信完了を表示するように構成したことを特徴とする遠隔操作システム。
【請求項２】
リモコン装置により被制御装置を遠隔操作する遠隔操作システムであって、
リモコン装置に、操作キー番号が予め割り当てられた複数の操作キーと、被制御装置を遠隔操作するリモコンコードの送信要求信号を送信するリモコンコード送信要求手段と、操作キー番号とそのリモコンコードとを受信する第１の受信手段と、前記第１の受信手段が受信したリモコンコードを送信する第１の送信手段と、前記第１の受信手段が受信したリモコンコードを受信した操作キー番号に対応したアドレスに記憶する第１の記憶手段とを設け、
被制御装置に、複数の操作キー番号とそのリモコンコードとを記憶する第２の記憶手段と、前記第２の記憶手段に記憶されている操作キー番号とそのリモコンコードとを送信する第２の送信手段と、前記リモコン装置から送信されたリモコンコードを受信する第２の受信手段と、前記第２の送信手段が送信したリモコンコードと前記第２の受信手段が受信したリモコンコードとをベリファイするベリファイ手段とを設け、
前記被制御装置は、前記リモコン装置から送信されたリモコンコード送信要求信号を受信したとき、前記第２の記憶手段に記憶されている操作キー番号とそのリモコンコードとを前記リモコン装置に送信して、前記リモコン装置から送信されたリモコンコードを受信し、送信したリモコンコードと受信したリモコンコードとをベリファイして、ベリファイの結果が一致した場合、前記第２の記憶手段に記憶されている次の操作キー番号とそのリモコンコードとを前記リモコン装置に送信し、ベリファイの結果が一致しない場合、前記第２の記憶手段に記憶されている同じ操作キー番号とそのリモコンコードとを前記リモコン装置に再送信し、前記第２の記憶手段に記憶されている操作キー番号とそのリモコンコードとの送信と、送信したリモコンコードと受信したリモコンコードとのベリファイとを繰り返して、前記第２の記憶手段に記憶されている全リモコンコードを前記リモコン装置に送信し、
前記リモコン装置は、リモコンコード送信要求信号を前記被制御装置に送信し、前記被制御装置から送信された操作キー番号とそのリモコンコードとを受信して、受信したリモコンコードを前記被制御装置に送信し、受信したリモコンコードを受信した操作キー番号に対応した前記第１の記憶手段のアドレスに記憶するように構成したことを特徴とする遠隔操作システム。
【請求項３】
前記リモコン装置に、リモコンコード受信中を表示する赤色ＬＥＤを更に設け、前記赤色ＬＥＤを点滅させてリモコンコード受信中を表示するように構成したことを特徴とする請求項２記載の遠隔操作システム。
【請求項４】
前記被制御装置に、リモコンコード送信終了を画面に表示する表示手段を更に設け、前記第２の記憶手段に記憶されている全リモコンコードの送信が終了したとき、前記リモコン装置にリモコンコード送信終了信号を送信して、リモコンコード送信終了を画面に表示するように構成したことを特徴とする請求項２記載の遠隔操作システム。
【請求項５】
前記リモコン装置に、リモコンコード受信完了を表示する緑色ＬＥＤを更に設け、前記被制御装置から送信されたリモコンコード送信終了信号を受信したとき、前記緑色ＬＥＤを所定時間点灯させてリモコンコード受信完了を表示するように構成したことを特徴とする請求項４記載の遠隔操作システム。
【考案の詳細な説明】
【技術分野】
【０００１】
本考案は、リモコン装置によりディスク再生装置等の被制御装置を遠隔操作する遠隔操作システムに係り、特に被制御装置を遠隔操作するリモコン装置をその被制御装置に対応させることができる遠隔操作システムに関する。
【背景技術】
【０００２】
近年、光ディスクに映像音声信号を記録再生するディスク装置等は、リモコン装置により遠隔操作することができるようになっているのが一般的になってきている。ディスク装置等の被制御装置はモデル毎に機能が異なっていて、高級モデルは普及モデルより多くの機能を備えている。そのため、高級モデルのディスク装置等の被制御装置を遠隔操作するリモコン装置は、普及モデルのディスク装置等の被制御装置を遠隔操作するリモコン装置より多くの操作キーを設けて、複数の操作キーのそれぞれにリモコンコードを割り当てる必要があり、複数モデルのディスク装置等の被制御装置を遠隔操作するリモコン装置を共通化することができず、被制御装置のモデル毎にその被制御装置を遠隔操作するリモコン装置を開発して製造しなければならないという問題点があった。
背景技術としては、他の被制御装置を遠隔操作するリモコン装置のリモコンコードを受信して、その受信したリモコンコードをメモリに記憶し、メモリに記憶されたリモコンコードを送信するようにしたものがあった（例えば、特許文献１参照）。
また、リモコン装置から被制御装置にリモコンコードの送信を要求して、被制御装置から送信されたリモコンコードを一括受信してメモリに記憶し、そのリモコン装置により被制御装置を遠隔操作するようにしたものがあった（例えば、特許文献２参照）。
また、多数の被制御装置のリモコンコードを配信するコード配信センタに携帯電話から電話をかけて、配信センタから被制御装置に対応したリモコンコードを受信してメモリに記憶し、携帯電話機で被制御装置を遠隔操作するようにしたものがあった（例えば、特許文献３参照）。
【特許文献１】特開昭６２−２３１５８１号公報
【特許文献２】特開平９−２２４２９３号公報
【特許文献３】特開２００１−２８５９４５号公報
【考案の開示】
【考案が解決しようとする課題】
【０００３】
しかしながら、背景技術で述べたもののうち最初のものにおいては、他の被制御装置を遠隔操作するリモコン装置のリモコンコードを受信して、その受信したリモコンコードをメモリに記憶し、メモリに記憶されたリモコンコードを送信することができたが、被制御装置を遠隔操作するリモコン装置に他の被制御装置を遠隔操作する他のリモコン装置のリモコンコードを受信してメモリに記憶し、被制御装置と他の被制御装置とを１つのリモコン装置で遠隔操作するようにしたものであって、上記問題点を解決するようにしたものではなく、他のリモコン装置のリモコンコードを受信する際に、他のリモコン装置の複数の操作キーを操作しなければならないという煩わしい問題点があった。
また、次のものにおいては、リモコン装置から被制御装置にリモコンコードの送信を要求して、被制御装置から送信されたリモコンコードを一括受信してメモリに記憶し、そのリモコン装置により被制御装置を遠隔操作することができたが、被制御装置から送信されたリモコンコードを一括受信するようになっていたため、被制御装置から送信されたリモコンコードの誤信号が受信されて、リモコン装置で被制御装置を遠隔操作することができない場合、被制御装置にリモコンコードの送信を再度要求して被制御装置から送信されたリモコンコードを受信しなければならないという問題点があった。
また、更にその次のものにおいては、多数の被制御装置のリモコンコードを配信するコード配信センタに携帯電話から電話をかけて、配信センタから被制御装置に対応したリモコンコードを受信してメモリに記憶し、携帯電話機で被制御装置を遠隔操作することができたが、コード配信センタから送信された被制御装置に対応したリモコンコードを受信して、携帯電話機で被制御装置を遠隔操作するようにしたものであって、上記問題点を解決するようにしたものではなかった。
本考案は、背景技術の有するこのような問題点に鑑みてなされたものであり、その目的とするところは、被制御装置を遠隔操作するリモコンコードをリモコン装置の操作キーに対応させてリモコン装置の不揮発性メモリに記憶し、複数モデルの被制御装置を遠隔操作するリモコン装置を共通化することができる遠隔操作システムを提供しようとするものである。
【課題を解決するための手段】
【０００４】
上記目的を達成するために、本考案における遠隔操作システムは、リモコン装置により被制御装置を遠隔操作する遠隔操作システムであって、リモコン装置に、操作キー番号が予め割り当てられた複数の操作キーと、被制御装置を遠隔操作するリモコンコードの送信要求信号を送信するリモコンコード送信要求手段と、操作キー番号とそのリモコンコードとを受信する第１の受信手段と、前記第１の受信手段が受信したリモコンコードを送信する第１の送信手段と、前記第１の受信手段が受信したリモコンコードを受信した操作キー番号に対応したアドレスに記憶する第１の記憶手段とを設け、被制御装置に、複数の操作キー番号とそのリモコンコードとを記憶する第２の記憶手段と、前記第２の記憶手段に記憶されている操作キー番号とそのリモコンコードとを送信する第２の送信手段と、前記リモコン装置から送信されたリモコンコードを受信する第２の受信手段と、前記第２の送信手段が送信したリモコンコードと前記第２の受信手段が受信したリモコンコードとをベリファイするベリファイ手段とを設け、前記被制御装置は、前記リモコン装置から送信されたリモコンコード送信要求信号を受信したとき、前記第２の記憶手段に記憶されている操作キー番号とそのリモコンコードとを前記リモコン装置に送信して、前記リモコン装置から送信されたリモコンコードを受信し、送信したリモコンコードと受信したリモコンコードとをベリファイして、ベリファイの結果が一致した場合、前記第２の記憶手段に記憶されている次の操作キー番号とそのリモコンコードとを前記リモコン装置に送信し、ベリファイの結果が一致しない場合、前記第２の記憶手段に記憶されている同じ操作キー番号とそのリモコンコードとを前記リモコン装置に再送信し、前記第２の記憶手段に記憶されている操作キー番号とそのリモコンコードとの送信と、送信したリモコンコードと受信したリモコンコードとのベリファイとを繰り返して、前記第２の記憶手段に記憶されている全リモコンコードを前記リモコン装置に送信し、前記リモコン装置は、リモコンコード送信要求信号を前記被制御装置に送信し、前記被制御装置から送信された操作キー番号とそのリモコンコードとを受信して、受信したリモコンコードを前記被制御装置に送信し、受信したリモコンコードを受信した操作キー番号に対応した前記第１の記憶手段のアドレスに記憶するように構成する。
更に、前記リモコン装置に、リモコンコード受信中を表示する赤色ＬＥＤを設け、前記赤色ＬＥＤを点滅させてリモコンコード受信中を表示するように構成する。
更に、前記被制御装置に、リモコンコード送信終了を画面に表示する表示手段を設け、前記第２の記憶手段に記憶されている全リモコンコードの送信が終了したとき、前記リモコン装置にリモコンコード送信終了信号を送信して、リモコンコード送信終了を画面に表示するように構成する。
更に、前記リモコン装置に、リモコンコード受信完了を表示する緑色ＬＥＤを設け、前記被制御装置から送信されたリモコンコード送信終了信号を受信したとき、前記緑色ＬＥＤを所定時間点灯させてリモコンコード受信完了を表示するように構成する。
これらの手段により、被制御装置を遠隔操作するリモコンコードをリモコン装置の操作キーに対応させてリモコン装置の不揮発性メモリに記憶し、複数モデルの被制御装置を遠隔操作するリモコン装置を共通化することができる。
【考案の効果】
【０００５】
請求項１記載の考案に係る遠隔操作システムによれば、被制御装置は、リモコン装置から送信されたリモコンコード送信要求信号を受信したとき、操作キー番号とそのリモコンコードとをリモコン装置に送信して、リモコン装置から送信されたリモコンコードを受信し、送信したリモコンコードと受信したリモコンコードとをベリファイして、ベリファイの結果が一致した場合、次の操作キー番号とそのリモコンコードとをリモコン装置に送信し、ベリファイの結果が一致しない場合、同じ操作キー番号とそのリモコンコードとをリモコン装置に再送信し、操作キー番号とそのリモコンコードとの送信と、送信したリモコンコードと受信したリモコンコードとのベリファイとを繰り返して、全リモコンコードをリモコン装置に送信し、全リモコンコードの送信が終了したとき、リモコンコード送信終了信号をリモコン装置に送信してリモコンコード送信終了を画面に表示し、リモコン装置は、リモコンコード送信要求信号を被制御装置に送信して、赤色ＬＥＤを点滅させてリモコンコード受信中を表示し、被制御装置から送信された操作キー番号とそのリモコンコードとを受信して、受信したリモコンコードを被制御装置に送信し、受信したリモコンコードを受信した操作キー番号に対応したアドレスに記憶して、被制御装置から送信されたリモコンコードの送信終了信号を受信したとき、緑色ＬＥＤを所定時間点灯させてリモコンコード受信完了を表示するようにしているので、被制御装置を遠隔操作するリモコンコードをリモコン装置の操作キーに対応させてリモコン装置の不揮発性メモリに記憶し、複数モデルの被制御装置を遠隔操作するリモコン装置を共通化することができ、また、リモコンコードの受信中であるがわかり、リモコンコードの送信が終了したことがわかり、リモコンコードの受信が完了したことがわかる。
請求項２記載の考案に係る遠隔操作システムによれば、被制御装置は、リモコン装置から送信されたリモコンコード送信要求信号を受信したとき、操作キー番号とそのリモコンコードとをリモコン装置に送信して、リモコン装置から送信されたリモコンコードを受信し、送信したリモコンコードと受信したリモコンコードとをベリファイして、ベリファイの結果が一致した場合、次の操作キー番号とそのリモコンコードとをリモコン装置に送信し、ベリファイの結果が一致しない場合、同じ操作キー番号とそのリモコンコードとをリモコン装置に再送信し、操作キー番号とそのリモコンコードとの送信と、送信したリモコンコードと受信したリモコンコードとのベリファイとを繰り返して、全リモコンコードをリモコン装置に送信し、リモコン装置は、リモコンコード送信要求信号を被制御装置に送信し、被制御装置から送信された操作キー番号とそのリモコンコードとを受信して、受信したリモコンコードを被制御装置に送信し、受信したリモコンコードを受信した操作キー番号に対応したアドレスに記憶するようにしているので、被制御装置を遠隔操作するリモコンコードをリモコン装置の操作キーに対応させてリモコン装置の不揮発性メモリに記憶し、複数モデルの被制御装置を遠隔操作するリモコン装置を共通化することができる。
請求項３記載の考案に係る遠隔操作システムによれば、リモコン装置の赤色ＬＥＤを点滅させてリモコンコード受信中を表示するようにしているので、リモコンコードの受信中であることがわかる。
請求項４記載の考案に係る遠隔操作システムによれば、全リモコンコードの送信が終了したとき、被制御装置からリモコン装置にリモコンコードの送信終了信号を送信して、リモコンコード送信終了を画面に表示するようにしているので、リモコンコードの送信が終了したことがわかる。
請求項５記載の考案に係る遠隔操作システムによれば、被制御装置から送信されたリモコンコード送信終了信号を受信したとき、リモコン装置の緑色ＬＥＤを所定時間点灯させてリモコンコード受信完了を表示するようにしているので、リモコンコードの受信が完了したことがわかる。
【考案を実施するための最良の形態】
【０００６】
以下、適宜図面を参照しながら本考案を実施するための最良の形態を詳述する。図１は本考案の一実施例の遠隔操作システムの構成を示すブロック図であり、図２は本考案の一実施例の遠隔操作システムのリモコン装置を示す説明図であり、図３は本考案の一実施例の遠隔操作システムのリモコン装置の動作を示すフローチャートであり、図４は本考案の一実施例の遠隔操作システムの被制御装置の動作を示すフローチャートである。
まず、本考案の一実施例の遠隔操作システムの構成を示すブロック図を基に説明する。
遠隔操作システムのリモコン装置１０は、リモコン装置１０のシステム全体を制御するマイコン１１と、操作キー番号が予め割り当てられた被制御装置２０を遠隔操作する複数の操作キー１２ａが設けられた操作パネル１２と（図２参照）、操作パネル１２の操作キー１２ａに対応したリモコンコードを被制御装置２０に送信するリモコン送信部１３と、被制御装置２０から送信されたリモコンコードを受信するリモコン受信部１４と、複数のリモコンコードを操作パネル１２の操作キー１２ａの操作キー番号に対応したアドレスに記憶する不揮発性メモリのフラッシュＲＯＭ（Ｒｅａｄ−Ｏｎｌｙ  Ｍｅｍｏｒｙ）１５と、マイコン１１をリセットするリセットキー１６と、リモコンコード受信中を表示する赤色ＬＥＤ（Ｌｉｇｈｔ  Ｅｍｉｔｔｉｎｇ  Ｄｉｏｄｅ）１７と、リモコンコード受信完了を表示する緑色ＬＥＤ１８とで構成されている。なお、リセットキー１６は、ボールペン等の先の尖ったもので押下することができるようするとよい。
また、遠隔操作システムの被制御装置２０は、被制御装置２０のシステム全体を制御するマイコン２１と、リモコン装置１０から送信されたリモコンコードを受信するリモコン受信部２２と、リモコン装置１０の操作パネル１２の操作キー１２ａの操作キー番号とそのリモコンコードとをリモコン装置１０に送信するリモコン送信部２３と、被制御装置２０を遠隔操作するリモコン装置１０の操作パネル１２の複数の操作キー１２の操作キー番号とそのリモコンコードとを記憶する不揮発性メモリのフラッシュＲＯＭ２４と、文字情報をモニタ装置３０の画面に表示するＯＳＤ（Ｏｎ−Ｓｒｅｅｎ  Ｃｈａｒａｃｔｅｒ  Ｄｉｓｐｌａｙ）回路２５と、被制御装置を動作させる制御回路２６とで構成されている。
以上のように構成された遠隔操作システムについて、以下その動作について説明する。
まず、リモコン装置１０の動作について説明する。ユーザがリモコン装置１０のリセットキー１６を押下すると、マイコン１１は、リモコン送信部１３を制御して、リモコンコード送信要求信号を被制御装置２０に送信し、赤色ＬＥＤ１７を点滅させてリモコンコード受信中であることを表示する。被制御装置２０のリモコン送信部２３から送信された操作キー番号とそのリモコンコードとがリモコン受信部１４により受信されると、マイコン１１は、リモコン送信部１３を制御して、受信したリモコンコードを被制御装置２０に送信し、受信したリモコンコードを受信した操作キー番号に対応したフラッシュＲＯＭ１５のアドレスに記憶する。
リモコンコード送信終了信号がリモコン受信部１４により受信されるまで、マイコン１１は、被制御装置２０から送信された操作キー番号とそのリモコンコードとをリモコン受信部１４により受信して、受信したリモコンコードを受信した操作キー番号に対応したフラッシュＲＯＭ１５のアドレスに順次記憶する。そして、被制御装置２０から送信されたリモコンコード送信終了信号がリモコン受信部１４により受信されると、マイコン１１は、緑色ＬＥＤ１８を所定時間、例えば、３０秒間点灯してリモコンコード受信完了を表示する。なお、リモコン装置１０の操作キー１２ａの名称がわかるように、被制御装置２０用のテンプレートをリモコン装置１０の操作パネル１２に貼付するようにするとよい。
次に、被制御装置２０の動作について説明する。リモコン装置１０から送信されたリモコンコード送信要求信号がリモコン受信部２２により受信されると、マイコン２１は、リモコン装置１０の操作パネル１２の操作キー１２ａの操作キー番号を１に設定し、リモコン送信部２３を制御して、フラッシュＲＯＭ２４に記憶されている操作キー番号とそのリモコンコードとを送信し、リモコン装置１０から送信されたリモコンコードをリモコン受信部２２により受信する。リモコン装置１０から送信されたリモコンコードがリモコン受信部２２により受信されると、マイコン２１は、送信したリモコンコードと受信したリモコンコードとをベリファイして、ベリファイの結果が一致したか否かを判別し、ベリファイの結果が一致した場合、操作キー番号を次の番号に変更して、リモコン送信部２３を制御して、フラッシュＲＯＭ２４に記憶されている操作キー番号とそのリモコンコードとを送信する。また、ベリファイの結果が一致しない場合、マイコン２１は、リモコン送信部２３を制御して、フラッシュＲＯＭ２４に記憶されている同じ操作キー番号とそのリモコンコードとを再送信する。
マイコン２１は、フラッシュＲＯＭ２４に記憶されている操作キー番号とそのリモコンコードとの送信と、送信したリモコンコードと受信したリモコンコードのベリファイとを繰り返して、フラッシュＲＯＭ２４に記憶されている全リモコンコードをリモコン装置１０に送信する。そして、フラッシュＲＯＭ２４に記憶されている全リモコンコードをリモコン装置１０に送信すると、マイコン２１は、リモコン送信部２３を制御して、リモコンコード送信終了信号をリモコン装置１０に送信し、ＯＳＤ回路２５に制御信号を送出して、リモコンコード送信が終了したことをモニタ装置３０の画面に表示する。
また、図３の本考案の一実施例の遠隔操作システムのリモコン装置の動作を示すフローチャートを基に説明する。
リモコン装置のリセットキーが押下されると、ステップＳ１からステップＳ２に進み、ステップＳ２で、リモコンコード送信要求信号が被制御装置に送信されて、赤色ＬＥＤを点滅させてリモコンコード受信中であることが表示され、ステップＳ３に進む。
ステップＳ３で、被制御装置から送信された操作キー番号とそのリモコンコードとが受信されて、受信されたリモコンコードが被制御装置に送信され、受信したリモコンコードが受信した操作キー番号に対応したフラッシュＲＯＭのアドレスに記憶されて、ステップＳ４に進む。
ステップＳ４で、被制御装置から送信されたリモコンコード送信終了信号が受信されたか否かが判断され、リモコンコード送信終了信号が受信された場合、ステップＳ５に進み、リモコンコード送信終了信号が受信されていない場合、ステップＳ３に戻って、ステップＳ３からのステップを繰り返す。
ステップＳ５で、緑色ＬＥＤを所定時間点灯させてリモコンコードの受信が完了したことが表示され、ステップＳ６に進んで処理を終了する。
また、図４の本考案の一実施例の遠隔操作システムの被制御装置の動作を示すフローチャートを基に説明する。
リモコン装置から送信されたリモコンコード送信要求信号を受信すると、ステップＳ１１からステップＳ１２に進み、ステップＳ１２で、リモコン装置の操作パネルの操作キーの操作キー番号が１に設定されて、ステップＳ１３に進む。
ステップＳ１３で、フラッシュＲＯＭに記憶されている操作キー番号とそのリモコンコードとが送信されて、リモコン装置から送信されたリモコンコードが受信され、ステップＳ１４に進む。
ステップＳ１４で、送信されたリモコンコードと受信されたリモコンコードとがベリファイされて、ベリファイの結果が一致したか否かが判断され、ベリファイの結果が一致した場合、ステップＳ１５に進み、ベリファイの結果が一致しない場合、ステップＳ１３に戻って、ステップＳ１３からのステップを繰り返す。
ステップＳ１５で、リモコン装置の操作パネルの操作キーの操作キー番号が次の番号に変更されて、ステップＳ１６に進む。
ステップＳ１６で、フラッシュＲＯＭに記憶されている全リモコンコードが送信されたか否かが判断され、全リモコンコードが送信された場合、ステップＳ１７に進み、全リモコンコードが送信されていない場合、ステップＳ１３に戻って、ステップＳ１３からのステップを繰り返す。
ステップＳ１７で、リモコンコード送信終了信号がリモコン装置に送信されて、リモコンコードの送信が終了したことがモニタ装置の画面に表示され、ステップＳ１８に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本考案の一実施例の遠隔操作システムの構成を示すブロック図である。
【図２】本考案の一実施例の遠隔操作システムのリモコン装置を示す説明図である。
【図３】本考案の一実施例の遠隔操作システムのリモコン装置の動作を示すフローチャートである。
【図４】本考案の一実施例の遠隔操作システムの被制御装置の動作を示すフローチャートである。
【符号の説明】
【０００８】
１０  リモコン装置
１１  マイコン
１２  操作パネル
１２ａ  操作キー
１３  リモコン送信部
１４  リモコン受信部
１５  フラッシュＲＯＭ
１６  リセットキー
１７  赤色ＬＥＤ
１８  緑色ＬＥＤ
２０  被制御装置
２１  マイコン
２２  リモコン受信部
２３  リモコン送信部
２４  フラッシュＲＯＭ
２５  ＯＳＤ回路
２６  制御回路
３０  モニタ装置
【図１】
0003120758.tif 000003
【図２】
0003120758.tif 000004
【図３】
0003120758.tif 000005
【図４】
0003120758.tif 000006